(57)【特許請求の範囲】
【請求項１】
棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に延設した一対の棒状部材と前記一対の棒状部材に架設固着され棟部を跨ぐ複数の架設部材とからなり、
前記一対の棒状部材それぞれに、長手方向に沿って、前記屋根用除雪シートを掛止するための複数の係止部材を備える屋根用除雪シート掛止具であって、
前記棒状部材のうちの一方の棒状部材に備えた係止部材が固着具であり、他方の棒状部材に備えた係止部材が第１フックであることを特徴とする屋根用除雪シート掛止具。
【請求項２】
棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に延設した一対の棒状部材と前記一対の棒状部材に架設固着され棟部を跨ぐ複数の架設部材とからなり、
前記一対の棒状部材それぞれに、長手方向に沿って、前記屋根用除雪シートを掛止するための複数の係止部材を備える屋根用除雪シート掛止具であって、
前記係止部材は、前記一対の棒状部材それぞれに備えた第１フックであることを特徴とする屋根用除雪シート掛止具。
【請求項３】
前記係止部材は、前記一対の棒状部材それぞれに前記第１フックの上部に更に備えた、第２フックである請求項２に記載の屋根用除雪シート掛止具。
【請求項４】
前記係止部材は、前記一対の棒状部材のうちの一方の棒状部材に前記第１フックの上部に更に備えた、第２フックである請求項２に記載の屋根用除雪シート掛止具。
【請求項５】
前記棟部に載置した請求項１に記載の屋根用除雪シート掛止具と、前記屋根用除雪シートとからなる屋根用除雪装置であって、
前記屋根用除雪シートは、一方側の勾配屋根に敷設される勾配屋根除雪シートと、前記棟部及び他方側の勾配屋根に敷設される棟部・勾配屋根兼用除雪シートとからなり、
前記一方側の勾配屋根において、前記勾配屋根除雪シートの先端部と前記棟部・勾配屋根兼用除雪シートの先端部とを挿通する固着具で棒状部材に着脱自在に固定し、
前記他方側の勾配屋根において、該他方側の前記第１フックに該棟部・勾配屋根兼用除雪シートの下面に設けた掛止部を掛止して、前記屋根に敷設される屋根用除雪装置。
【請求項６】
前記棟部に載置した請求項２に記載の屋根用除雪シート掛止具と、前記屋根用除雪シートとからなる屋根用除雪装置であって、
該屋根用除雪シートは、前記第１フックに該屋根用除雪シート下面に設けた掛止部を掛止して、前記屋根に敷設される屋根用除雪装置。
【請求項７】
前記棟部に載置した請求項３に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対の棒状部材の前記第２フックに該勾配屋根除雪シートの先端部を掛止して前記一対の勾配屋根に敷設され、且つ、
前記棟部除雪シートは、前記勾配屋根除雪シートに設けた挿通孔を通してそれぞれ前記一対の棒状部材の第１フックに該屋根用除雪シート下面に設けた掛止部を掛止して前記棟部に敷設される屋根用除雪装置。
【請求項８】
前記棟部に載置した請求項３又は４に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、該勾配屋根除雪シートは、一方側の前記第２フックに該勾配屋根除雪シートの先端部を掛止して該一方側の勾配屋根に敷設され、且つ、
該棟部・勾配屋根兼用除雪シートは、前記一方側の勾配屋根除雪シートに設けた挿通孔を通して前記第１フックに、該棟部・勾配屋根兼用除雪シート下面に設けた掛止部を掛止して前記棟部に敷設されると共に、他方側の勾配屋根において、該他方側の第１フックに該棟部・勾配屋根兼用除雪シートの下面に設けた掛止部を掛止して、前記棟部及び他方側の勾配屋根に敷設される屋根用除雪装置。
【請求項９】
前記勾配屋根の軒先部に前記屋根用除雪シートを係止する軒先部係止用部材を備える請求項５乃至８のうちのいずれか１項に記載の屋根用除雪装置。
【請求項１０】
前記勾配屋根のけらば部に前記屋根用除雪シートを係止するけらば部係止用部材を備える請求項５乃至９のうちのいずれか１項に記載の屋根用除雪装置。
【請求項１１】
前記屋根用除雪シートは、勾配方向に向かって並設される複数枚からなり、それぞれがファスナーにより着脱自在に接続されている請求項５乃至１０のうちのいずれか１項に記載の屋根用除雪装置。
【発明の詳細な説明】
【技術分野】
【０００１】
本考案は屋根用除雪装置に関し、更に詳しくは、簡易な構造で、屋根への着脱が容易な除雪シートを用いた除雪装置に関する。
【背景技術】
【０００２】
積雪の多い地域では、建物の屋根に耐久量を越える雪が積もる場合がある。この様な状況の下、作業者が屋根上に登り、スコップなどの除雪具を用いて雪下ろしを行なうことが行なわれている。この雪下ろし作業は、重労働であることに加え、積雪は滑りやすいため、落下事故がおきやすい。
ここで、屋根用除雪装置が提案されている（例えば、特許文献１参照。）。この屋根用除雪装置は、勾配屋根の棟部から軒先部に至る平行な案内レールを勾配屋根に固着し、除雪シートの適所に取着した各移動駒を対応する各案内レールに、除雪シートが上下動操作可能に組み込まれている。そして、降雪期間には除雪シートを勾配屋根全体に敷設しておき、降雪期間以外の期間では、屋根上部に設けた収納部に除雪シートを収納する構造となっている。
この屋根用除雪装置によれば、降雪期には、各案内レールに沿って各移動駒を降下移動させ、屋根上の略全体に除雪シートを敷設し、除雪シート上に降り積もろうとする雪を自動的に滑落させて除去することができるため、雪下ろし作業をしないで降雪期を終えることができる。
そして、降雪期間が終わると、当該除雪シートを、各移動駒と共に各案内レールに沿って上昇移動して折り畳みながら上昇させて収納部内まで誘導し、次の降雪期まで保管することができる。
【先行技術文献】
【特許文献】
【０００３】
【特許文献１】特開２００８−２９７８５０号公報
【発明の概要】
【発明が解決しようとする課題】
【０００４】
しかし、特許文献１に記載の屋根用除雪装置は、勾配屋根に案内レールを固着する必要があり、除雪シートの適所に各移動駒をしなければならず、構造が複雑である。
【０００５】
本発明は、前記の問題を解決するものであり、簡易な構造で屋根に確実に取り付けることができ、更に、屋根への着脱が容易である屋根用除雪シート掛止具及びこれを用いた屋根用除雪装置を提供することを目的とする。
【課題を解決するための手段】
【０００６】
本発明は以下の通りである。
１．棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に延設した一対の棒状部材と前記一対の棒状部材に架設固着され棟部を跨ぐ複数の架設部材とからなり、
前記一対の棒状部材それぞれに、長手方向に沿って、屋根用除雪シートを掛止するための複数の係止部材を備えた屋根用除雪シート掛止具であって、
前記棒状部材のうちの一方の棒状部材に備えた係止部材が固着具であり、他方の棒状部材に備えた係止部材が第１フックであることを特徴とする屋根用除雪シート掛止具。
２．棟部と該棟部の両側に備えた一対の勾配屋根を有する建物の屋根に敷設する屋根用除雪シートを掛止するための屋根用除雪シート掛止具であって、
前記屋根用除雪シート掛止具は、前記棟部の長手方向に延設した一対の棒状部材と前記一対の棒状部材に架設固着され棟部を跨ぐ複数の架設部材とからなり、
前記一対の棒状部材それぞれに、長手方向に沿って、屋根用除雪シートを掛止するための複数の係止部材を備えた屋根用除雪シート掛止具であって、
前記係止部材は、前記一対の棒状部材それぞれに備えた第１フックであることを特徴とする屋根用除雪シート掛止具。
３．前記係止部材は、前記一対の棒状部材それぞれに前記第１フックの上部に更に備えた、第２フックである２．に記載の屋根用除雪シート掛止具。
４．前記係止部材は、前記一対の棒状部材のうちの一方の棒状部材に前記第１フックの上部に更に備えた、第２フックである２．に記載の屋根用除雪シート掛止具。
５．前記棟部に載置した１．に記載の前記屋根用除雪シート掛止具と、前記屋根用除雪シートとからなる屋根用除雪装置であって、
前記屋根用除雪シートは、一方側の勾配屋根に敷設される勾配屋根除雪シートと、前記棟部及び他方側の勾配屋根に敷設される棟部・勾配屋根兼用除雪シートとからなり、
前記一方側の勾配屋根において、前記勾配屋根除雪シートの先端部と前記棟部・勾配屋根兼用除雪シートの先端部とを挿通する固着具で棒状部材に着脱自在に固定し、
前記他方側の勾配屋根において、該他方側の前記第１フックに該棟部・勾配屋根兼用除雪シートの下面に設けた掛止部を掛止して、前記屋根に敷設される屋根用除雪装置。
６．前記棟部に載置した２．に記載の屋根用除雪シート掛止具と、前記屋根用除雪シートとからなる屋根用除雪装置であって、
該屋根用除雪シートは、前記第１フックに該屋根用除雪シート下面に設けた掛止部を掛止して、前記屋根に敷設される屋根用除雪装置。
７．前記棟部に載置した３．に記載の屋根用除雪シート掛止具と、前記屋根用除雪シートとからなる屋根用除雪装置であって、
前記屋根用除雪シートは、一対の勾配屋根に敷設する一対の勾配屋根除雪シートと、前記棟部に敷設する棟部除雪シートとからなり、
前記一対の勾配屋根除雪シートは、それぞれ前記一対の棒状部材の前記第２フックに該勾配屋根除雪シートの先端部を掛止して前記一対の勾配屋根に敷設され、且つ、
前記棟部除雪シートは、前記勾配屋根除雪シートに設けた挿通孔を通してそれぞれ前記一対の棒状部材の第１フックに該屋根用除雪シート下面に設けた掛止部を掛止して前記棟部に敷設される屋根用除雪装置。
８．前記棟部に載置した３．又は４．に記載の屋根用除雪シート掛止具と、前記屋根用除雪シートとからなる屋根用除雪装置であって、
前記屋根用除雪シートは、一方側の勾配屋根に敷設される前記勾配屋根除雪シートと、前記棟部及び他方側の勾配屋根に敷設される棟部・勾配屋根兼用除雪シートとからなり、該勾配屋根除雪シートは、一方側の前記第２フックに該勾配屋根除雪シートの先端部を掛止して該一方側の勾配屋根に敷設され、且つ、
該棟部・勾配屋根兼用除雪シートは、前記一方側の勾配屋根除雪シートに設けた挿通孔を通して前記第１フックに、該棟部・勾配屋根兼用除雪シート下面に設けた掛止部を掛止して前記棟部に敷設されると共に、他方側の勾配屋根において、該他方側の第１フックに該棟部・勾配屋根兼用除雪シートの下面に設けた掛止部を掛止して、前記棟部及び他方側の勾配屋根に敷設される屋根用除雪装置。
９．前記勾配屋根の軒先部に前記屋根用除雪シートを係止する軒先部係止用部材を備える５．乃至８．のうちのいずれか１項に記載の屋根用除雪装置。
１０．前記勾配屋根のけらば部に前記屋根用除雪シートを係止するけらば部係止用部材を備える５．乃至９．のうちのいずれか１項に記載の屋根用除雪装置。
１１．前記屋根用除雪シートは、勾配方向に向かって並設される複数枚からなり、それぞれがファスナーにより着脱自在に接続されている５．乃至１０．のうちのいずれか１項に記載の屋根用除雪装置。
【発明の効果】
【０００７】
１．本発明の屋根用除雪シート掛止具は、棟部の長手方向に延設した一対の棒状部材と一対の棒状部材に架設固着され棟部を跨ぐ複数の架設部材とからなり、その一対の棒状部材それぞれに、長手方向に沿って、屋根用除雪シートを掛止するための複数の係止部材を備えているため、簡易な構造で屋根に確実に取り付けることができ、更に、屋根への着脱が容易である。また、棒状部材のうちの一方の棒状部材に備えた係止部材が固着具であり、他方の棒状部材に備えた係止部材が第１フックである場合には、更に確実に勾配屋根除雪シートを掛止することができる。
２．係止部材が、一対の棒状部材それぞれに備えた第１フックである場合には、簡易な構造で屋根に確実に取り付けることができ、更に、屋根への着脱が容易である。
３．係止部材が、一対の棒状部材それぞれに第１フックの上部に更に備えた、第２フックである場合には、勾配屋根用の除雪シートと棟部用除雪シートを確実に敷設することができる。
【０００８】
４．係止部材が、一対の棒状部材のうちの一方の棒状部材に第１フックの上部に更に備えた、第２フックである場合には、勾配屋根除雪シートと、前記棟部及び他方側の勾配屋根に敷設される棟部・勾配屋根兼用除雪シートを確実に敷設することができる。
５．本発明の屋根用除雪装置は、棟部に載置した１．に記載の屋根用除雪シート掛止具と、前記屋根用除雪シートとからなる屋根用除雪装置であって、一方側の勾配屋根において、勾配屋根除雪シートの先端部と棟部・勾配屋根兼用除雪シートの先端部とを挿通する固着具で棒状部材に着脱自在に固定し、他方側の勾配屋根において、第１フックに棟部・勾配屋根兼用除雪シートの下面に設けた掛止部を掛止して、屋根に敷設される場合には、確実に屋根用除雪シートを敷設することができる。
６．棟部に載置した２．に記載の屋根用除雪シート掛止具と、前記屋根用除雪シートとからなる屋根用除雪装置であって、屋根用除雪シートが、第１フックに該屋根用除雪シート下面に設けた掛止部を掛止して、屋根に敷設される場合には簡易な構造で屋根に確実に取り付けることができ、更に、屋根への着脱が容易である。
７．棟部に載置した３．に記載の屋根用除雪シート掛止具と、前記屋根用除雪シートとからなる屋根用除雪装置であって、屋根用除雪シートは、一対の勾配屋根に敷設する一対の勾配屋根除雪シートと、棟部に敷設する棟部除雪シートとからなり、前記一対の勾配屋根除雪シートは、それぞれ前記一対の棒状部材の前記第２フックに該勾配屋根除雪シートの先端部を掛止して前記一対の勾配屋根に敷設され、且つ、棟部除雪シートは、前記勾配屋根除雪シートに設けた挿通孔を通してそれぞれ前記一対の棒状部材の第１フックに該屋根用除雪シート下面に設けた掛止部を掛止して前記棟部に敷設される場合には、簡易な構造で屋根に更に確実に取り付けることができ、屋根への着脱が容易である。
８．屋根用除雪シートが、一方側に敷設される前記勾配屋根除雪シートと、棟部及び他方側の屋根に敷設される棟部・勾配屋根兼用除雪シートと、からなり、勾配屋根除雪シートが、一方側の第２フックに先端部を掛止して一方側の勾配屋根に敷設され、且つ、棟部・勾配屋根兼用除雪シートが、一方側の勾配屋根除雪シートに設けた挿通孔を通して第１フックに掛止部を掛止して棟部に敷設されると共に、他方側の勾配屋根において、第１フックに棟部・勾配屋根兼用除雪シートの下面に設けた掛止部を掛止して、敷設されるものであれば、更に簡易な構造で、屋根用除雪シートを確実に敷設することができる。
【０００９】
９．勾配屋根の軒先部に屋根用除雪シートを係止する軒先部係止用部材を備えている場合には、より確実に屋根用除雪シートを敷設することができる。
１０．勾配屋根のけらば部に屋根用除雪シートを係止するけらば部係止用部材を備えている場合も、より確実に屋根用除雪シートを敷設することができる。
１１．屋根用除雪シートが、勾配方向に向かって並設される複数枚からなり、それぞれがファスナーにより着脱自在に接続されていれば、長手方向に広い屋根であっても、効果的に、屋根用除雪シートを敷設することができる。
【図面の簡単な説明】
【００１０】
【図１】本発明の実施形態の屋根用除雪シート掛止具を示す斜視図である。
【図２】図１のＡ―Ａ断面図である。
【図３】本発明の実施形態の屋根用除雪装置に係り、一方側の屋根において、屋根用除雪シート掛止具に屋根用除雪シートを掛止した例を示す断面図である。
【図４】図３における屋根用除雪装置の分解斜視図である。
【図５】本発明の実施形態の屋根用除雪装置に係り、他方側の屋根において、屋根用除雪シート掛止具に屋根用除雪シートを掛止した例を示す断面図である。
【図６】本発明の他の実施形態の屋根用除雪シート掛止具を示す斜視図である。
【図７】図６のＢ―Ｂ断面図である。
【図８】本発明の他の実施形態の屋根用除雪装置に係り、一方側の屋根において、他の実施形態に係る屋根用除雪シート掛止具に屋根用除雪シートを掛止した例を示す断面図である。
【図９】本発明の他の実施形態の屋根用除雪装置に係り、他方側の屋根において、他の実施形態に係る屋根用除雪シート掛止具に屋根用除雪シートを掛止した例を示す断面図である。
【図１０】本発明の実施形態の屋根用除雪装置に係り、建物の屋根に屋根用除雪装置を取り付けた例を示す斜視図である。
【図１１】本発明の屋根用除雪装置に係り、建物の屋根に屋根用除雪装置を取り付けた他の例を示す斜視図である。
【図１２】本発明の屋根用除雪装置に係り、建物の屋根に屋根用除雪シートのけらば部への取付け方法を示す斜視図である。
【発明を実施するための形態】
【００１１】
以下、図１〜１２を参照しながら本発明を詳しく説明する。尚、本発明は、かかる図に記載された具体例に示すものに限られず、目的、用途に応じて種々変更したものとすることができる。
［１］屋根用除雪シート掛止具
屋根用除雪シート掛止具１は、図１０に示すように、棟部４１と該棟部４１の両側に備えた一対の勾配屋根４２を有する建物８０の屋根４０に敷設する屋根用除雪シート３０を掛止する部材である。
ここで、屋根は棟部とその両側に勾配屋根を備えていれば特に限定はなく、瓦屋根、トタン屋根、その他の屋根に取り付けることができる。
屋根用除雪シート掛止具１は、図１に示すように、前記棟部の長手方向に延設した一対の棒状部材２０と前記一対の棒状部材２０に架設固着され棟部を跨ぐ複数の架設部材１０とからなり、前記一対の棒状部材２０それぞれに長手方向に沿って、屋根用除雪シートを掛止するための複数の係止部材２３を備えたことを特徴とする。
【００１２】
前記棒状部材２０は、棟部の長手方向に延設した一対の部材であり、中実棒状の他に、管状も含まれる。材質は特に限定はないが、金属であることが好ましく、鉄又はステンレスであることが更に好ましい。ステンレスであれば特に耐候性に優れる。
前記架設部材１０は、一対の棒状部材２０に架設固着され棟部を跨ぐ部材からなり、複数設けられている。
架設部材は棟部に沿った形状であることが好ましい。図１に示すアーチ形のほか、棟部に合わせ角形の形状であってもよい。材質も特に限定はないが、金属であることが好ましく、鉄又はステンレスであることが更に好ましい。ステンレスであれば特に耐候性に優れる。
架設部材１０の棒状部材２０への固着方法は特に限定はなく、ボルト、ナット、リベットなどにより固着することもできるが、溶接により固着することが好ましい。
【００１３】
前記「係止部材」は屋根用除雪シートを係止して固定する部材である。係止部材の形状、係止の方法は特に限定はされず、屋根用除雪シートを係止して固定することができればよい。
係止部材としては、例えば、図１に示すようにネジ２３のような固着具、フック２１のようなフックであってもよい。
前記「固着具」とは、屋根用除雪シートを屋根用除雪シート掛止具に着脱自在に固着する部材であり、屋根用除雪シートを屋根用除雪シート掛止具から取り外した後、元の位置に取り付けるようにしたボルト、ねじ、ピン等の固着手段をいうものとする。
前記「フック」とは、鉤部、かえり部、突起部、出っ張り部等の形状の係止作用を有する部位を意味し、その形状を鉤形に限定するものではない。
【００１４】
係止方法も、例えば図３に示すようにねじ２３で屋根用除雪シートに設けた孔部３１ｂ、３２ｂを着脱自在に固定することもできる。また、図５に示すように、屋根用除雪シートに備えた掛け止め部３３ａに設けた孔部３３ｂにフック２１を掛け止めすることによって係止することもできる。
【００１５】
一対の棒状部材２０、２０のうちの少なくとも一方の棒状部材２０に備えた係止部材が、固着具２３である場合には、確実に勾配屋根除雪シートを掛止することができる。
「少なくとも一方」であるため、一方の棒状部材２０にのみ固着具２３を備えていてもよく、一対の棒状部材２０それぞれに固着具２３を備えていてもよい。
固着具は、図１乃至図４に示すように、蝶ねじであれば簡便に着脱をすることができる。
図１に示す屋根用除雪シート掛止具１のように、棒状部材２０のうちの一方の棒状部材２０に備えた係止部材が固着具２３であり、他方の棒状部材２０に備えた係止部材が第１フック２１とすることもできる。
前記第１フック２１は、棒状部材２０棒状部材２０に固着されているが、固着の方法は特に限定はないが、溶接によることが好ましい。材質も特に限定はないが、金属であることが好ましく、鉄又はステンレスであることが更に好ましい。ステンレスであれば特に耐候性に優れる。
第１フックの棒状部材２０に対する上下方向の取り付け位置は、特に限定はないが、側部から下部に至るいずれかの位置であることが好ましい。更に好ましくは、側部のやや下方である。下方すぎると、後述の棟部除雪シートを掛止がしづらく、上方すぎれば、棟部を覆う除雪シートに対して突接しすぎることになる。
【００１６】
図６に示す屋根用除雪シート掛止具２のように、前記一対の棒状部材２０それぞれの上部に、長手方向に勾配屋根除雪シートを掛止するための複数の第２フック２２を更に備えることができる。第２フック２２は、勾配屋根除雪シートを掛止する部材である。
一対の棒状部材のうちの一方の棒状部材の上部に、長手方向に勾配屋根除雪シートを掛止するための複数の第２フックを備えることもできる。
第２フックも第１フックと同様棒状部材２０に固着されているが、固着の方法、材質については、第１フックと同様であるため、その説明を省略する。
【００１７】
屋根用除雪シート掛止具１は、図１に示すように、棒状部材２０の先端部に接続管２５が固着してあれば、さらに、別の屋根用除雪シート掛止具１を接続することができる。棟部方向に長い屋根においては、複数の屋根用除雪シート掛止具１を接続して使用することが可能である。
【００１８】
［２］屋根用除雪装置
本発明の屋根用除雪装置は、図１０に示すように、屋根用除雪シート掛止具１と、前記屋根用除雪シート３０とからなる屋根用除雪装置である。
該屋根用除雪シート３０は、例えば図５に示すように、前記第１フック２１に該屋根用除雪シート下面に設けた掛止部３０ａに掛止して屋根に敷設される。掛止部３０ａは、屋根用除雪シート３０の下面に縫着あるいは接着等により固着することができる。
【００１９】
前記屋根用除雪シート３０は、図４に示すように（屋根の一方側のみ図示）、屋根全体を覆う１枚の除雪シートからなることもできる。
屋根用除雪シートの材質は特に限定はないが、例えば、軟質の塩化ビニル素材を用いることができる。
前記屋根用除雪シート３０は、図３又は図８に示すように、一対の勾配屋根除雪シート３１と棟部除雪シート３２とからなることができる。
また、屋根用除雪シート３０は、一方側に敷設される勾配屋根除雪シート３１（図３、図８）と、棟部４１及び他方側の勾配屋根４２に敷設される棟部・勾配屋根兼用除雪シート３３（図５、図９）とからなることができる。
【００２０】
以下の実施例１〜３は、本発明の屋根用除雪装置の具体例である。
［実施例１］
実施例１の屋根用除雪装置は、勾配屋根除雪シート掛止具１を用いて、一方側の勾配屋根４２に敷設される前記勾配屋根除雪シート３１と、棟部４１及び他方側の勾配屋根４２に敷設される棟部・勾配屋根兼用除雪シート３３とからなる屋根用除雪シート３０を屋根へ敷設した例である。
一方側の勾配屋根４１において、勾配屋根除雪シート３１の先端部と棟部・勾配屋根兼用除雪シート３３の先端部とを挿通する固着具２３で棒状部材２０に着脱自在に固定する。
具体的には、図３に示すように、勾配屋根除雪シート３１の先端部に設けた孔部３１ｂと棟部・勾配屋根兼用除雪シートの先端部に設けた孔部３３ｂを固着具２３としての蝶ネジを挿通させて棒状部材２０に設けた雌ネジ部２０ｈに螺合固定する（図４参照。）。
そして、図５に示すように、他方側の勾配屋根４１において、第１フック２１に棟部・勾配屋根兼用除雪シート３３の下面に設けた掛止部３３ａを掛止する。
【００２１】
図１０に示すように、勾配屋根４２の軒先部５１に前記屋根用除雪シート３１を係止する軒先部係止用部材５１ａを備えていることが好ましい。軒先部係止用部材５１ａは、軒下下部に設けた固定部（不図示）と紐からなり、勾配屋根除雪シート３１の下端に設けた係止孔に樋５１ｂを抱接して紐により屋根用除雪シート３１を固定することができる。
また、勾配屋根４２のけらば部５２に前記屋根用除雪シート３１を係止するけらば部係止用部材５２ａを備えていることが好ましい。けらば部係止用部材５２ａは、けらば部下部に設けた固定部（不図示）と紐からなり、勾配屋根除雪シート３１の側端に設けた係止孔に紐により勾配屋根除雪シート３１を固定することができる。
【００２２】
更に、軒先部係止用部材５１ａは、図１１に示すように、勾配屋根除雪シート３１に設けた孔に紐５１ｃを交互に通し、その紐５１ｃをさらに別の紐５１ｄで固定するようにすることもできる。けらば部５２においても、勾配屋根除雪シート３１に設けた孔に紐５２ｃを交互に通し、その紐５２ｃをさらに別の紐５２ｄで固定するようにしたけらば部係止用部材５２ａを用いることが好ましい。
また、けらば部においては、図１２に示すように、紐５２ｃを伸縮性のある紐５２ｅに接続し、紐５２ｅに鉤部５２ｆを取り付けることができる。こうすることで、屋根の上から破風板４３に鉤部５２ｆを引っ掛けることで固定することができる。
【００２３】
図１０に示すように、屋根用除雪シート３０が、勾配方向に向かって並設される複数枚からなり、それぞれがファスナー３１ｄにより着脱自在に接続されていれば、長手方向に広い屋根であっても、それぞれの屋根用除雪シート３０を簡易に着脱することができる。
更に、ファスナーで接続される屋根用除雪シート３０の一方に、ファスナー３１ｄを被覆する被覆片３１ｅを備えていることが好ましい。被覆片５１により、ファスナー３１ｄ上に直接積雪されるのを防ぐことができ、ファスナー３１ｄが凍りついたり損傷したりするのを防ぐことができる。そして、この被覆片３１ｅは、面ファスナー３１ｆにより固定することが好ましい。
なお、図１１は勾配屋根除雪シート３１のみがファスナーにより接続されている例を示すが、棟部除雪シート３２、棟部・勾配屋根兼用除雪シート３３についても同様に、ファスナーにより接続することができる。
【００２４】
［実施例２］
実施例２の屋根用除雪装置は、屋根用除雪シート掛止具２を用いて、一対の勾配屋根除雪シート３１と棟部除雪シート３２とからなる屋根用除雪シート３０を屋根への敷設した例である。
図８に示すように、一対の勾配屋根除雪シート３１（他方側不図示）は、それぞれ一対の棒状部材２０（他方側不図示）の第２フック２２に勾配屋根除雪シート３１の先端部を掛止して前記両側の勾配屋根４２に敷設される。勾配屋根除雪シート３１を第２フック２２に掛止するには、勾配屋根除雪シート３１の先端部に設けられた孔部３１ｂを引っ掛けることにより行う。
【００２５】
そして、前記棟部除雪シート３２は、前記勾配屋根除雪シート３１に設けた挿通孔３１ｈを通してそれぞれの第１フック２１に棟部除雪シート３２下面に設けた掛止部３２ａを掛止して棟部４１に敷設される。棟部除雪シート３２を第１フック２２に掛止するには、掛止部３２ａに設けた孔部３２ｂを引っ掛けることにより行う。
挿通孔３１ｈは、勾配屋根除雪シート３１を一部覆う棟部除雪シート３２を敷設するために、第１フック２１を勾配屋根除雪シート３１から突出させるための孔である。第１フック２１に棟部除雪シート３２が掛止できれば、挿通孔３１ｈの形状、大きさは特に限定されない。
棟部除雪シート３２は、図８に示すように、その先端付近に被覆片３２ｃを備えることができる。こうすることで、第１フック２１付近を覆うことができ、積雪等で等で凍結するのを防ぐことができる。被覆片３２ｃは、その先端部を勾配屋根除雪シート３１と面ファスナー３２ｆで着脱自在に接続することができる。
なお、図８は、屋根の一方側のみを示しているが、他方側も同一の構成である。
【００２６】
実施例１と同様、図１０に示すように、勾配屋根４２の軒先部５１に前記屋根用除雪シート３１を係止する軒先部係止用部材５１ａを備えていることが好ましい。また、勾配屋根４２のけらば部５２に前記屋根用除雪シート３１を係止するけらば部係止用部材５２ａを備えていることが好ましい。これらの作用効果については、実施例１と同様であるため、その説明を省略する。
更に、実施例１と同様に、軒先部係止用部材５１ａは、図１１に示すように、勾配屋根除雪シート３１に設けた複数の孔に紐５１ｃを交互に通し、その紐５１ｃをさらに別の紐５１ｄで固定するようにすることもできる。けらば部５２においても同様である。
更に、屋根用除雪シート３０が、勾配方向に向かって並設される複数枚からなり、それぞれがファスナー３１ｄにより着脱自在に接続することができる点においても、実施例１と同様であるため、その説明を省略する。
また、けらば部においては、図１２に示すように、屋根の上から破風板４３に鉤部５２ｆを引っ掛けることで固定することができる点も実施例１と同様である。
【００２７】
［実施例３］
実施例３の屋根用除雪装置は、屋根用除雪シート掛止具２を用いて、一方側の勾配屋根４２に敷設される前記勾配屋根除雪シート３１と、棟部４１及び他方側の勾配屋根４２に敷設される棟部・勾配屋根兼用除雪シート３３とからなる屋根用除雪シート３０を屋根へ敷設した例である。
図８に示すように、前記勾配屋根除雪シート３１は、棒状部材２０の第２フック２２に掛止されて一方側の勾配屋根４２に敷設される。勾配屋根除雪シート３１を第２フック２２に掛止するには、勾配屋根除雪シート３１の先端部に設けられた孔部３１ｂを引っ掛けることにより行う。
【００２８】
そして、棟部・勾配屋根兼用除雪シート３３は、一方側の勾配屋根４２において、前記勾配屋根除雪シート３１に設けた挿通孔３１ｈを通して、第１フック２１に棟部・勾配屋根兼用除雪シート３３下面に設けた掛止部３３ａに掛止して棟部４１及び他方側の勾配屋根４２に敷設される。棟部・勾配屋根兼用除雪シート３３を第１フック２１に掛止するには、棟部・勾配屋根兼用除雪シート３３に設けられた孔部３３ｂを引っ掛けることにより行う。挿通孔３１ｈについては、実施例２と同様であるため、その説明を省略する。
更に、他方側の勾配屋根４２において、図９に示すように、前記第１フック２１に棟部・勾配屋根兼用除雪シート３３の下面に設けた掛止部３３ａを掛止して屋根に敷設される。
実施例２と同様、図８に示すように、棟部・勾配屋根除雪シート３３は、その先端付近に被覆片３３ｃ及びその先端部に面ファスナー３３ｆを備えることができる。その作用効果は実施例２と同様である。
【００２９】
実施例１と同様、図１０に示すように、勾配屋根４２の軒先部５１に前記屋根用除雪シート３１を係止する軒先部係止用部材５１ａを備えていることが好ましい。また、勾配屋根４２のけらば部５２に前記屋根用除雪シート３１を係止するけらば部係止用部材５２ａを備えていることが好ましい。これらの作用効果については、実施例１と同様であるため、その説明を省略する。
更に、実施例１と同様に、軒先部係止用部材５１ａは、図１１に示すように、勾配屋根除雪シート３１に設けた複数の孔に紐５１ｃを交互に通し、その紐５１ｃをさらに別の紐５１ｄで固定するようにすることもできる。けらば部５２においても同様である。
更に、屋根用除雪シート３０が、勾配方向に向かって並設される複数枚からなり、それぞれがファスナー３１ｄにより着脱自在に接続することができる点においても、実施例と同様であるため、その説明を省略する。
また、けらば部においては、図１２に示すように、屋根の上から破風板４３に鉤部５２ｆを引っ掛けることで固定することができる点も実施例１と同様である。
【符号の説明】
【００３０】
１、２；屋根用除雪シート掛止具、１０；架設部材、２０；棒状部材、２１；係止部材（第１フック）、２２；係止部材（第２フック）、２３；係止部材（固着具）、３０；屋根用除雪シート、３０ａ（３２ａ、３３ａ）；掛止部、３１；勾配屋根除雪シート、３１ｈ；挿通孔、３１ｄ；ファスナー、３２；棟部除雪シート、
４０；屋根、４１；棟部、４２；勾配屋根、５１；軒先部、５１ａ；軒先部係止用部材、５２；けらば部、５２ａ；けらば部係止用部材
【図１】
0005506065.tif 000002
【図２】
0005506065.tif 000003
【図３】
0005506065.tif 000004
【図４】
0005506065.tif 000005
【図５】
0005506065.tif 000006
【図６】
0005506065.tif 000007
【図７】
0005506065.tif 000008
【図８】
0005506065.tif 000009
【図９】
0005506065.tif 000010
【図１０】
0005506065.tif 000011
【図１１】
0005506065.tif 000012
【図１２】
0005506065.tif 000013